(57)【要約】【課題】流動棚装置全体の左右長を大とすることなく、通路を確保しうるようにし、倉庫等の内部スペースを有効に使用する。【解決手段】搬送面が緩傾斜するローラコンベヤ１０よりなる流動棚７ｃの横幅を、物品１２の左右寸法よりも小とし、左右の支柱３と流動棚７ｃの両側端との間に形成される隙間１３を、搬送面よりも下方に位置する板状部材１４により閉塞することにより、前後方向を向く通路Ｒが形成されるようにする。【選択図】図３
2007186305.tif 000002
【特許請求の範囲】
【請求項１】
前後及び左右方向に所定間隔おきに立設した複数の支柱同士を連結することにより、棚フレームを形成し、該棚フレームにおける左右方向に並ぶ支柱の対向面間に、前後方向を向くとともに、搬送面が前下向きに緩傾斜するコンベヤよりなる流動棚を、互いに左右方向に隣接するように設け、各流動棚の後端に搬入された物品又は物品が載置されたパレットを、流動棚の前端まで自重により流動させて搬送するようにした物品搬送用流動棚装置において、
前記流動棚の横幅を、前記物品又はパレットの左右寸法よりも小とし、左右の支柱と流動棚の一側端との間に形成される隙間を、前記搬送面よりも下方に位置する板状部材により閉塞することにより、物品又はパレットの非流動時において前後方向を向く通路が形成されるようにしたことを特徴とする物品搬送用流動棚装置。
【請求項２】
流動棚を左右の支柱間の中央に配置し、左右の支柱と流動棚の両側端との間に形成される両側の隙間を、板状部材により閉塞することにより、流動棚の左右両側に通路が形成されるようにした請求項１に記載の物品搬送用棚装置。
【請求項３】
前後及び左右方向に所定間隔おきに立設した複数の支柱同士を連結することにより、棚フレームを形成し、該棚フレームにおける左右方向に並ぶ支柱の対向面間に、前後方向を向くとともに、搬送面が前下向きに緩傾斜するコンベヤよりなる流動棚を、互いに左右方向に隣接するように設け、各流動棚の後端に搬入された物品又は物品が載置されたパレットを、流動棚の前端まで自重により流動させて搬送するようにした物品搬送用流動棚装置において、
前記流動棚におけるコンベヤを、互いに対向する左右１対ずつの短寸コンベヤよりなるものとし、左右の短寸コンベヤの対向面間に形成される中央の隙間を、前記搬送面よりも下方に位置する板状部材により閉塞することにより、物品又はパレットの非流動時において前後方向を向く通路が形成されるようにしたことを特徴とする物品搬送用流動棚装置。
【請求項４】
板状部材及びそれにより形成される通路を、搬送面と平行をなすようにした請求項１ないし３のいずれかに記載の物品搬送用流動棚装置。
【請求項５】
板状部材を、前後の支柱間の間隔を同じスパンで前後方向に連結した請求項１ないし４のいずれかに記載の物品搬送用流動棚装置。
【請求項６】
前後方向に並ぶ左右の支柱の対向面同士を横杆により連結し、前後複数の横杆に、流動棚と板状部材を載設した請求項１ないし５のいずれかに記載の物品搬送用流動棚装置。
【請求項７】
流動棚における前後端部の所定範囲の横幅を、物品又はパレットの左右寸法をほぼ等しくした請求項１ないし６のいずれかに記載の物品搬送用流動棚装置。
【発明の詳細な説明】
【技術分野】
【０００１】
本発明は、倉庫や物流施設等において、物品又は物品を載置したパレットを、一方の側から他方の側まで搬送する物品搬送用流動棚装置に係り、特に、搬送面を緩傾斜させたローラコンベヤよりなる流動棚上を、物品又は物品を載置したパレットを自重（重力）により下方まで搬送するようにした物品搬送用流動棚装置に関する。
【背景技術】
【０００２】
この種の自重による物品搬送用流動棚装置は、例えば特許文献１〜３に記載されており、公知である。
【０００３】
【特許文献１】特許第２８６４３５０号公報
【特許文献２】特開平８−１１３３２６号公報
【特許文献３】特開平１０−５３３０９号公報
【発明の開示】
【発明が解決しようとする課題】
【０００４】
自重による物品搬送用流動棚装置は、動力を使用していないため、設置後においてはメンテナンスフリーが基本である。すなわち、設置時にローラコンベヤの傾き等を調整して物品が直進することを確認した後は、殆どメンテナンス等を行わないのが一般的である。
【０００５】
そのため、上記特許文献１〜３に記載されている従来の物品搬送用流動棚装置においても、ローラコンベヤの近傍に、作業者が歩行可能な通路は設けられていない。このような通路が設けられていないと、メンテナンスが必要となったときに、その作業が困難となったり、物品が搬送途中で支柱に引っ掛かるなどして停止したときに、その場所まで行くのが非常に困難で危険も伴なう。
【０００６】
この問題に対処するために、例えばローラコンベヤを支持している左右の支柱間の寸法を大とし、ローラコンベヤの側方に通路を設けたり、単体の流動棚装置を左右方向に離間させて設置し、その対向面間に通路を設けたりすると、通路を設けた分だけ、流動棚装置全体の左右長が大となり、倉庫等の内部スペースを有効に使用できなくなる。
【０００７】
本発明は、上記問題点を解決するためになされたもので、流動棚装置全体の左右長を大きくすることなく、通路を確保し得るようにし、倉庫等の内部スペースを有効に使用することができるようにした物品搬送用流動棚装置を提供することを目的としている。
【課題を解決するための手段】
【０００８】
上記目的を達成するために、本発明の請求項１に記載の物品搬送用流動棚装置は、
前後及び左右方向に所定間隔おきに立設した複数の支柱同士を連結することにより、棚フレームを形成し、該棚フレームにおける左右方向に並ぶ支柱の対向面間に、前後方向を向くとともに、搬送面が前下向きに緩傾斜するコンベヤよりなる流動棚を、互いに左右方向に隣接するように設け、各流動棚の後端に搬入された物品又は物品が載置されたパレットを、流動棚の前端まで自重により流動させて搬送するようにした物品搬送用流動棚装置において、
前記流動棚の横幅を、前記物品又はパレットの左右寸法よりも小とし、左右の支柱と流動棚の一側端との間に形成される隙間を、前記搬送面よりも下方に位置する板状部材により閉塞することにより、物品又はパレットの非流動時において前後方向を向く通路が形成されるようにしたことを特徴としている。
この特徴によれば、各段の流動棚の一側方に通路が形成されるようにしたので、コンベヤのメンテナンス作業や、物品又はパレットが搬送途中で停止した際の復旧作業等を、容易にかつ安全に行うことができる。
また、流動棚の横幅を物品又はパレットの左右寸法よりも小として、左右の支柱と流動棚の一側端との間の隙間に通路を確保するので、流動棚装置全体の左右長を大きくする必要はない。従って倉庫等の内部スペースを有効に使用することができ、物品の保管効率も向上する。
【０００９】
本発明の請求項２に記載の流動棚装置は、請求項１に記載の流動棚装置であって、
流動棚を左右の支柱間の中央に配置し、左右の支柱と流動棚の両側端との間に形成される両側の隙間を、板状部材により閉塞することにより、流動棚の左右両側に通路が形成されるようにしたことを特徴としている。
この特徴によれば、流動棚の左右両側に通路が形成されることにより、流動棚を構成するコンベヤの左右幅が大きい場合のメンテナンス作業や、物品が停止した際の復旧作業等を、左右いずれかの通路を選択して容易に行うことができる。
【００１０】
本発明の請求項３に記載の流動棚装置は、
前後及び左右方向に所定間隔おきに立設した複数の支柱同士を連結することにより、棚フレームを形成し、該棚フレームにおける左右方向に並ぶ支柱の対向面間に、前後方向を向くとともに、搬送面が前下向きに緩傾斜するコンベヤよりなる流動棚を、互いに左右方向に隣接するように設け、各流動棚の後端に搬入された物品又は物品が載置されたパレットを、流動棚の前端まで自重により流動させて搬送するようにした物品搬送用流動棚装置において、
前記流動棚におけるコンベヤを、互いに対向する左右１対ずつの短寸コンベヤよりなるものとし、左右の短寸コンベヤの対向面間に形成される中央の隙間を、前記搬送面よりも下方に位置する板状部材により閉塞することにより、物品又はパレットの非流動時において前後方向を向く通路が形成されるようにしたことを特徴としている。
この特徴によれば、上記請求項１と同様、中央の通路を利用して、コンベヤのメンテナンス作業や、物品停止時の復旧作業等を、容易かつ安全に行うことができるとともに、流動棚装置全体の左右長が大きくならないので、倉庫等の内部スペースを有効に使用することができる。
また、通路は流動棚の中央に形成されるので、流動棚の横幅が大きくても、メンテナンス作業や復旧作業等がし易くなる。
【００１１】
本発明の請求項４に記載の流動棚装置は、請求項１ないし３のいずれかに記載の流動棚装置であって、
板状部材及びそれにより形成される通路を、搬送面と平行をなすようにしたことを特徴としている。
この特徴によれば、前後方向のどの位置においても、通路は、緩傾斜する搬送面に沿って平行をなし、流動棚と大きく離間することがないので、メンテナンスや復旧作業等がより容易となる。
【００１２】
本発明の請求項５に記載の流動棚装置は、請求項１ないし４のいずれかに記載の流動棚装置であって、
板状部材を、前後の支柱間の間隔を同じスパンで前後方向に連結したことを特徴としている。
この特徴によれば、複数の板状部材の前後両端を前後の支柱に固定して通路を形成し得るので、通路を強固にかつ容易に形成することができる。
【００１３】
本発明の請求項６に記載の流動棚装置は、請求項１ないし５のいずれかに記載の流動棚装置であって、
前後方向に並ぶ左右の支柱の対向面同士を横杆により連結し、前後複数の横杆に、流動棚と板状部材を載設したことを特徴としている。
この特徴によれば、横杆を、流動棚を構成しているコンベヤと板状部材の載設用に共用するので、部品点数が削減されるとともに、横杆に板状部材を掛け渡して固定するだけで、通路を簡単に形成することができる。
【００１４】
本発明の請求項７に記載の流動棚装置は、請求項１ないし６のいずれかに記載の流動棚装置であって、
流動棚における前後端部の所定範囲の横幅を、物品又はパレットの左右寸法をほぼ等しくしたことを特徴としている。
この特徴によれば、流動棚の前後の端部において、物品又はパレットの下面全体が流動棚の搬送面により支持されるので、搬送抵抗が小さくなり、上端の搬入部と下端の搬出部での物品又はパレットの流動が円滑となる。
【発明を実施するための最良の形態】
【００１５】
以下、本発明の実施例を図面に基づいて説明する。
【実施例１】
【００１６】
図１は、本発明の物品搬送用流動棚装置（以下、流動棚装置と略称する）の第１の実施例を示す側面図，図２は、同じく正面図，図３は、同じく、流動棚装置単体の平面図、図４は、図３のIV−IV線の拡大矢視図である。
【００１７】
流動棚装置１の棚フレーム２は、前後（以下、方向は図１の右方を前として説明する）及び左右方向に所定間隔おきに床面に立設された多数の支柱３と、互いに前後に隣接する支柱３の対向面同士を連結している水平杆４及び傾斜杆５と、互いに左右に隣接する支柱３の対向面同士を上下方向に一定間隔おきに連結している横杆６とからなっている。
【００１８】
上下の各横杆６は、後記するローラコンベヤ８，９，１０と板状部材１４を支持する支持杆を兼ね、前後方向に並ぶ各段の横杆６の取付高さを、前方に向かって少しずつ低くすることにより、上面を結ぶ線が前下方に緩傾斜するように取付けられている。また、棚フレーム２における左右に対向する支柱３間の横杆６上には、前後方向を向く上下複数段の流動棚７が、左右方向に互いに等高をなして隣接するように載設されている。
【００１９】
図３に示すように、各段の流動棚７は、後端部の搬入用ローラコンベヤ８と、下端部の搬出用ローラコンベヤ９と、それらのローラコンベヤ８，９間の搬送用ローラコンベヤ１０とにより構成され、各ローラコンベヤ８，９，１０は、その上面の搬送面Ｆが前下方に緩傾斜するようにして、上記各横杆６の上面に固定されている。
【００２０】
搬入用ローラコンベヤ８と搬出用コンベヤ９により形成される前後の流動棚７ａ，７ｂの左右幅は、パレット１１及びそれに載置される物品１２の左右寸法とほぼ等しくされている。また、搬入用ローラコンベヤ８の後端部と搬出用ローラコンベヤ９の前端部の中央には、図示しないスタッカクレーンが昇降しうる空間Ｓが形成され、物品１２を載置したパレット１１の搬出入を容易としてある。
【００２１】
搬入用ローラコンベヤ８と搬出用ローラコンベヤ９により形成される前後部の流動棚７ａ，７ｂを除いた中間部の流動棚７ｃ、すなわち上記搬送用ローラコンベヤ１０の横幅は、パレット１１の左右寸法より所要寸法小としてあり、かつ左右の支柱３，３間の中央に搬送用ローラコンベヤ１０を配設することにより、中間部の流動棚７ｃの両側端と左右の支柱３との間には、左右寸法の等しい隙間１３，１３が形成されている。
【００２２】
上記左右の隙間１３は、各ローラコンベヤ８，９，１０の搬送面Ｆよりも下方においてそれと平行をなすとともに、前後の支柱３間の間隔とほぼ同じスパン（前後寸法）の鉄板からなる複数の板状部材１４により閉塞されている。すなわち、前後複数の板状部材１４の前後両端を、上記各ローラコンベヤ８，９，１０を載設している横杆６の上面にねじ等により固着することにより、前後方向に連結されている。
【００２３】
１５，１５は、搬送用ローラコンベヤ１０の前端部の左右両側方に設けられた、垂直のガイドローラ群で、対向面間の寸法を前方に向かうにしたがって漸次小とすることにより、若干横ずれして搬送されてきた物品１２を、ほぼ中央に位置決めして搬出用ローラコンベヤ９に移送するためのものである。
【００２４】
上記第１の実施例のように、中間部の流動棚７ｃの両側に隙間１３を形成し、この隙間１３を板状部材１４により閉塞すると、パレット１１が物品１２と共に流動していないとき、もしくはパレット１１や物品１２が上流側において支柱３に引っ掛かるなどして停止したときにおいて、左右の板状部材１４により、作業者が歩行可能な通路Ｒが形成されるようになる。従って、左右いずれかの通路Ｒを利用して、搬送用ローラコンベヤ１０のメンテナンス作業や、停止した物品１２の復旧作業等を、容易にかつ安全に行うことができる。
【００２５】
また、中間部の流動棚７ｃの横幅をパレット１１の左右寸法よりも小として、左右の支柱３と流動棚７ｃの両側端との間の隙間１３に通路Ｒを確保するので、流動棚装置１全体の左右長を大きくする必要はない。従って、倉庫等の内部スペースを有効に使用することができ、物品１２の保管効率も向上する。
【００２６】
さらに、中間部の流動棚７ｃの両側に通路Ｒが形成されるようにすると、流動棚７ｃを構成する搬送用ローラコンベヤ１０の横幅が大きくても、左右の通路Ｒを選択して使用することにより、メンテナンス作業や復旧作業等を容易かつ安全に行うことができる。
【実施例２】
【００２７】
図５は、本発明の第２の実施例を示すもので、中間部の流動棚７ｃの片側、例えば右側方（または左側方）にのみ隙間１３を形成し、この隙間１３を板状部材１４により閉塞して、一側方のみに通路Ｒが形成されるようにしたものである。このようにしても、上記と同様の作用効果を奏することができるとともに、搬送用ローラコンベヤ１０の横幅を、上記第１の実施例よりも大としうる利点がある。
【実施例３】
【００２８】
図６は、本発明の第３の実施例を示すもので、搬送用ローラコンベヤ１０の前後方向に並ぶ各ローラを、互いに対向する左右１対ずつの短寸ローラ１６，１６よりなるものとし、それらの対向面間に形成される中央の隙間１７を、上記実施例と同様、搬送面Ｆよりも下方に位置する板状部材１４により閉塞することにより、その上面に通路Ｒが形成されるようにしたものである。
【００２９】
この第３の実施例においても、上記実施例と同様、中央の通路Ｒを利用して、搬送用ローラコンベヤ１０のメンテナンス作業や、停止した物品１２の復旧作業等を、容易にかつ安全に行うことができる。また、通路Ｒは中央に形成されるので、搬送用ローラコンベヤ１０の横幅が大きくても、メンテナンス作業や復旧作業がし易くなる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、上記実施例では、物品１２をパレット１１に載置して搬送するものとしたが、パレット１１を使用しないで、物品１２を直接各ローラコンベヤ８，９，１０に載せて搬送するものにも適用することができる。
【００３２】
また、上記実施例では、板状部材１４を、緩傾斜する搬送面と平行をなすように傾斜させて設けているが、別途水平の横杆を設けるなどして、それに板状部材１４を固定し、水平をなす通路が形成されるようにしてもよい。
【００３３】
また、上記実施例では、流動棚7を構成するコンベアの一例としてローラコンベヤを適用していたが、ベルトコンベヤや他のコンベヤ等を適用してもよい。
【００３４】
また、上記実施例では、通路Ｒを構成する板状部材１４は、鉄板からなる板材にて構成されていたが、板状部材は、間隙１３，１７を完全に閉塞する板材だけでなく、歩行可能であれば、スリット等が形成されていてもよいし、グレーチング等であってもよい。
【図面の簡単な説明】
【００３５】
【図１】本発明の物品搬送用流動棚装置の第１の実施例を示す側面図である。
【図２】同じく正面図である。
【図３】同じく、流動棚装置単体の平面図である。
【図４】図３のIV−IV線に沿う拡大矢視図である。
【図５】本発明の第２の実施例を示す図４と同部位の矢視図である。
【図６】同じく第３の実施例を示す図４と同部位の矢視図である。
【符号の説明】
【００３６】
１            物品搬送流動棚装置
２            棚フレーム
３            支柱
４            水平杆
５            傾斜杆
６            横杆
７            流動棚
７ａ          前部の流動棚
７ｂ          後部の流動棚
７ｃ          中間部の流動棚
８            搬入用ローラコンベヤ
９            搬出用ローラコンベヤ
１０          搬送用ローラコンベヤ
１１          パレット
１２          物品
１３          隙間
１４          板状部材
１５          ガイドローラ群
１６          短寸ローラ（短寸コンベヤ）
１７          隙間
Ｆ            搬送面
Ｓ            空間
Ｒ            通路
【図１】
2007186305.tif 000003
【図２】
2007186305.tif 000004
【図３】
2007186305.tif 000005
【図４】
2007186305.tif 000006
【図５】
2007186305.tif 000007
【図６】
2007186305.tif 000008